(57)【要約】【課題】電気誘導モータ（Ｍ）の回転子の抵抗値（Ｒｒ）を識別するための方法を得ること。【解決手段】本方法は、以下のステップ、すなわち、2018191506.tif 000061を含む。【選択図】図２
2018191506.tif 000002
【特許請求の範囲】
【請求項１】
電気誘導モータ（Ｍ）の回転子の抵抗値（Ｒｒ）を識別するための方法であって、以下のステップ、すなわち、
ａ）前記電気モータの前記回転子の前記抵抗に対して選択された値
【数１】
2018191506.tif 000037
に基づいて、基準電圧
【数２】
2018191506.tif 000038
を決定するステップと、
ｂ）前記電気モータに制御電圧（ｕＳ）を印加するステップであり、前記制御電圧が前記基準電圧
【数３】
2018191506.tif 000039
に基づいて決定される、ステップと、
ｃ）前記電気モータの固定子電流（ＩＳ）を導出するように、前記電気モータの３つの相において測定された電流（ｉ１、ｉ２、ｉ３）の値を取得するステップと、
ｄ）前記得られた固定子電流（ｉＳ）を所定の値
【数４】
2018191506.tif 000040
と比較するステップと、
ｅ）前記回転子の前記抵抗（Ｒｒ）に使用された前記値
【数５】
2018191506.tif 000041
を補正して、前記所定の値と等しい固定子電流（ｉＳ）を得るまでステップａ）〜ｄ）を適用するステップと、
を含むことを特徴とする、方法。
【請求項２】
電気誘導モータ（Ｍ）の回転子の抵抗値（Ｒｒ）を識別するための方法であって、
ａ）前記電気モータの３つの相において測定された電流（ｉ１、ｉ２、ｉ３）を表す固定子電流（ｉＳ）が所定の値
【数６】
2018191506.tif 000042
と等しい測定電圧
【数７】
2018191506.tif 000043
を決定するステップと、
ｂ）前記電気モータの前記回転子の前記抵抗に対して選択された値
【数８】
2018191506.tif 000044
に基づいて基準電圧
【数９】
2018191506.tif 000045
を決定するステップと、
ｃ）前記基準電圧を前記測定電圧と比較するステップと、
ｄ）前記回転子の前記抵抗（Ｒｒ）に使用された前記値
【数１０】
2018191506.tif 000046
を補正して、前記基準電圧と前記測定電圧との間の等価性を得るまでステップａ）〜ｃ）を適用するステップと、
を含むことを特徴とする、方法。
【請求項３】
前記所定の値
【数１１】
2018191506.tif 000047
がゼロまたはゼロに近い値に対応することを特徴とする、請求項１または２に記載の方法。
【請求項４】
複数の連続する反復を備える二分法原理に従って実施され、各反復において、前記回転子の前記抵抗に対して求められた値の位置する間隔が、２で割られることを特徴とする、請求項３に記載の方法。
【請求項５】
複数の連続する反復を備える勾配原理に従って実施され、前記回転子の前記抵抗に対する前記選択された値
【数１２】
2018191506.tif 000048
が、前記比較ステップの結果の意味に応じて各反復で修正されることを特等とする、請求項３に記載の方法。
【請求項６】
電気誘導モータ（Ｍ）の回転子の抵抗値（Ｒｒ）を識別するためのシステムであって、
ａ）前記電気モータの前記回転子の前記抵抗に対して選択された値
【数１３】
2018191506.tif 000049
に基づいて基準電圧
【数１４】
2018191506.tif 000050
を決定するためのモジュールと、
ｂ）前記電気モータに制御電圧（ｕＳ）を印加するためのモジュールであり、前記制御電圧が前記基準電圧
【数１５】
2018191506.tif 000051
に基づいて決定される、モジュールと、
ｃ）前記電気モータの固定子電流（ｉＳ）を導出するように、前記電気モータの３つの相において測定された電流（ｉ１、ｉ２、ｉ３）の値を取得するためのモジュールと、
ｄ）前記得られた固定子電流（ｉＳ）を所定の値
【数１６】
2018191506.tif 000052
と比較するためのモジュールと、
ｅ）前記回転子の前記抵抗（Ｒｒ）に使用された前記値
【数１７】
2018191506.tif 000053
を補正して、前記所定の値
【数１８】
2018191506.tif 000054
に等しい固定子電流を得るまでモジュールａ）〜ｄ）を実行するためのモジュールと、
を含むことを特等とする、システム。
【請求項７】
電気誘導モータ（Ｍ）の回転子の抵抗値（Ｒｒ）を識別するためのシステムであって、
ａ）前記電気モータの３つの相において測定された電流（ｉ１、ｉ２、ｉ３）を表す固定子電流（ｉＳ）が所定の値
【数１９】
2018191506.tif 000055
に等しい測定電圧
【数２０】
2018191506.tif 000056
を、決定するためのモジュールと、
ｂ）前記電気モータの前記回転子の前記抵抗に対して選択された値
【数２１】
2018191506.tif 000057
に基づいて、基準電圧
【数２２】
2018191506.tif 000058
を決定するためのモジュールと、
ｃ）前記基準電圧を前記測定電圧と比較するためのモジュールと、
ｄ）前記回転子の前記抵抗（Ｒｒ）に使用された前記値
【数２３】
2018191506.tif 000059
を補正して、前記基準電圧と前記測定電圧との間の等価性を得るまで、モジュールａ）〜ｃ）を実行するためのモジュールと、
を含むことを特徴とする、システム。
【請求項８】
前記所定の値がゼロまたはゼロに近い値に対応することを特徴とする、請求項６または７に記載のシステム。
【請求項９】
複数の連続する反復を備える二分法原理に従って動作するように構成され、各反復において、前記回転子の前記抵抗に対して求められた値が位置する間隔が２で割られることを特徴とする、請求項８に記載のシステム。
【請求項１０】
複数の連続する反復を備える勾配原理に従って動作するように構成され、前記回転子の前記抵抗に対する前記選択された値
【数２４】
2018191506.tif 000060
が前記比較ステップの結果の意味に応じて各反復において修正されることを特徴とする、請求項８に記載のシステム。
【請求項１１】
電気モータの制御が意図された可変速駆動装置であって、請求項６から１０のいずれか１項に記載された識別システムに従った識別システムを備える制御システムを含むことを特徴とする、可変速駆動装置。
【発明の詳細な説明】
【技術分野】
【０００１】
本発明は、電気誘導モータの回転子の電気抵抗を識別するための方法に関する。
【０００２】
本発明は、前記方法を実施することを可能にする識別システムにも関する。
【背景技術】
【０００３】
電気モータは、適切な制御則を実施する可変速駆動装置によって制御される。電気モータを正確に制御するために、可変速駆動装置およびその処理ユニットは、制御される電気モータのある一定のパラメータを利用しなければならない。
【０００４】
安定で効率的な制御を保証するためには、可変速駆動装置が、値が正確なパラメータを利用することが好ましい。このことは、特に電気モータの回転子の抵抗（「回転子抵抗」とも呼ばれる）に対して当てはまる。現在、回転子の抵抗のこの正確な値が、可変速駆動装置の処理ユニットには必ずしも知られていないことが判明している。その場合、処理ユニットは、例えば、制御動作においてデフォルト値を使用することがあり、そのために非常に多くの場合性能の低下をもたらす。特に、回転子抵抗は、処理ユニットによって過大評価または過小評価されることがあり、固定子の電流の変動、したがって制御則に対する電圧を計算するためのアルゴリズムの実施における誤差をもたらす。
【０００５】
しかしながら、回転子の抵抗を決定するためのいくつかの解決策が既に提案されている。これらの解決策のいくつかは、回転子抵抗を導出するために回転子のインダクタンスを決定することにある。しかしながら、詳細には立ち入らないが、磁気飽和のために、回転子のインダクタンスの値は、必ずしも一定ではなく、そのために回転子抵抗の決定に誤差が生じる。
【０００６】
欧州特許第１７１３１７３Ｂ１号は、この部分に対して電気モータのパラメータを調整することを含む解決策を記載している。この解決策は、作動中に、すなわち、モータの通常動作中に実施される。この解決策は、主として電流ループの積分項を使用してモータモデルのパラメータの値を調整することにある。
【０００７】
この解決策は、特に負荷がモータに存在するときに実施されなければならず、速度センサ（閉ループ）を使用する必要があるため、やはり満足できるものではない。
【０００８】
参考文献「ＤＩＡＢ  ＡＨＭＥＤ  Ａ  ＺＡＫＩら、「Ｐａｒａｌｌｅｌ  ｅｓｔｉｍａｔｉｏｎ  ｏｆ  ｒｏｔｏｒ  ｒｅｓｉｓｔａｎｃｅ  ａｎｄ  ｓｐｅｅｄ  ｆｏｒ  ｓｅｎｓｏｒｌｅｓｓ  ｖｅｃｔｏｒ  ｃｏｎｔｒｏｌｌｅｄ  ｉｎｄｕｃｔｉｏｎ  ｍｏｔｏｒ  ｄｒｉｖｅ」−２０１６  １７ＴＨ  Ｉｎｔｅｒｎａｔｉｏｎａｌ  Ｃｏｎｆｅｒｅｎｃｅ  ｏｆ  ｙｏｕｎｇ  ｓｐｅｃｉａｌｉｓｔｓ  ｏｎ  Ｍｉｃｒｏ／ｎａｎｏｔｅｃｈｎｏｌｏｇｉｅｓ  ａｎｄ  ｅｌｅｃｔｒｏｎ  ｄｅｖｉｃｅｓ（ＥＤＭ）、ＩＥＥＥ、２０１６年６月３０日、３８９−３９４ページ、ＸＰ０３２９４３０５２、ＤＯＩ：１０．１１０９／ＥＤＭ．２０１６．７５３８７６３」は、適応システムを使用することによって、電気モータの回転子の抵抗値を識別するための方法を記載している。
【０００９】
したがって、本発明の目的は、回転子の抵抗を識別するための新規の方法を提案することであり、本方法は、信頼性があり、速度センサ（閉ループ）の使用を必要とせず、モータに負荷が存在する場合に、または負荷が存在しない場合に、実施されることができる。
【先行技術文献】
【特許文献】
【００１０】
【特許文献１】欧州特許第１７１３１７３Ｂ１号
【非特許文献】
【００１１】
【非特許文献１】ＤＩＡＢ  ＡＨＭＥＤ  Ａ  ＺＡＫＩら、「Ｐａｒａｌｌｅｌ  ｅｓｔｉｍａｔｉｏｎ  ｏｆ  ｒｏｔｏｒ  ｒｅｓｉｓｔａｎｃｅ  ａｎｄ  ｓｐｅｅｄ  ｆｏｒ  ｓｅｎｓｏｒｌｅｓｓ  ｖｅｃｔｏｒ  ｃｏｎｔｒｏｌｌｅｄ  ｉｎｄｕｃｔｉｏｎ  ｍｏｔｏｒ  ｄｒｉｖｅ」−２０１６  １７ＴＨ  Ｉｎｔｅｒｎａｔｉｏｎａｌ  Ｃｏｎｆｅｒｅｎｃｅ  ｏｆ  ｙｏｕｎｇ  ｓｐｅｃｉａｌｉｓｔｓ  ｏｎ  Ｍｉｃｒｏ／ｎａｎｏｔｅｃｈｎｏｌｏｇｉｅｓ  ａｎｄ  ｅｌｅｃｔｒｏｎ  ｄｅｖｉｃｅｓ（ＥＤＭ）、ＩＥＥＥ、２０１６年６月３０日、３８９−３９４ページ、ＸＰ０３２９４３０５２、ＤＯＩ：１０．１１０９／ＥＤＭ．２０１６．７５３８７６３
【発明の概要】
【課題を解決するための手段】
【００１２】
本目的は、電気誘導モータの回転子の抵抗値を識別するための方法によって達成され、前記方法は、以下のステップ、すなわち、
ａ）電気モータの回転子の抵抗に対して選択された値に基づいて基準電圧を決定するステップと、
ｂ）電気モータに制御電圧を印加するステップであって、前記制御電圧が前記基準電圧に基づいて決定される、ステップと、
ｃ）電気モータの固定子電流を導出するように、電気モータの３つの相において測定された電流の値を取得するステップと、
ｄ）得られた固定子電流を所定の値と比較するステップと、
ｅ）回転子の抵抗に使用された前記値を補正して、前記所定の値と等しい固定子電流を得るまでステップａ）〜ｄ）を適用するステップと、
を含む。
【００１３】
また、本目的は、電気誘導モータの回転子の抵抗値を識別するための方法によって達成され、前記方法は、以下のステップ、すなわち、
ａ）電気モータの３つの相において測定された電流を表す固定子電流が、所定の値と等しい測定電圧を決定するステップと、
ｂ）電気モータの回転子の抵抗に対して選択された値に基づいて、基準電圧を決定するステップと、
ｃ）前記基準電圧を測定電圧と比較するステップと、
ｄ）回転子の抵抗に使用された前記値を補正して、前記基準電圧と測定電圧との間の等価性を得るまでステップａ）〜ｃ）を適用するステップと、
を含む。
【００１４】
１つの特定の特徴によると、前記所定の値は、ゼロまたはゼロに近い値に対応する。
【００１５】
１つの特定の実施形態によると、本方法は、複数の連続する反復を備える二分法原理（dichotomic principle）に従って実施され、各反復において、回転子の抵抗に対して求められた値が位置する間隔が、２で割られる。
【００１６】
別の特定の実施形態によると、本方法は、複数の連続する反復を備える勾配原理に従って実施され、回転子の抵抗に対して選択された値が、比較ステップの結果の意味に基づいて各反復で修正される。
【００１７】
また、本目的は、電気誘導モータの回転子の抵抗値を識別するためのシステムによって達成され、本システムは、
ａ）電気モータの回転子の抵抗に対して選択された値に基づいて、基準電圧を決定するためのモジュールと、
ｂ）電気モータに制御電圧を印加するためのモジュールであって、前記制御電圧が前記基準電圧に基づいて決定される、モジュールと、
ｃ）電気モータの固定子電流を導出するように、電気モータの３つの相において測定された電流の値を取得するためのモジュールと、
ｄ）得られた固定子電流を所定の値と比較するためのモジュールと、
ｅ）回転子の抵抗に使用された前記値を補正して、前記所定の値と等しい固定子電流を得るまでモジュールａ）〜ｄ）を実行するためのモジュールと、
を含む。
【００１８】
また、本目的は、電気誘導モータの回転子の抵抗値を識別するためのシステムによって達成され、本システムは、
ａ）電気モータの３つの相において測定された電流を表す固定子電流が所定の値と等しい測定電圧を、決定するためのモジュールと、
ｂ）電気モータの回転子の抵抗に対して選択された値に基づいて、基準電圧を決定するためのモジュールと、
ｃ）前記基準電圧を測定電圧と比較するためのモジュールと、
ｄ）回転子の抵抗に使用された前記値を補正して、前記基準電圧と測定電圧との間の等価性を得るまでステップａ）〜ｃ）を適用するためのモジュールと、
を含む。
【００１９】
１つの特定の特徴によると、前記所定の値は、ゼロまたはゼロに近い値に対応する。
【００２０】
１つの特定の実施形態によると、本システムは、複数の連続する反復を備える二分法原理に従って動作するように構成され、各反復において、回転子の抵抗に対して求められた値が位置する間隔が２で割られる。
【００２１】
別の特定の実施形態によると、本システムは、複数の連続する反復を備える勾配原理に従って動作するように構成され、回転子の抵抗に対して選択された値が、比較ステップの結果の意味に基づいて修正される。
【００２２】
最後に、本発明は、電気モータの制御が意図された可変速駆動装置に関し、本可変速駆動装置は、上で規定された識別システムに従った識別システムを備える制御システムを含む。
【００２３】
他の特徴および利点は、添付された図面を参照して以下の詳細な説明で明らかになるであろう。
【図面の簡単な説明】
【００２４】
【図１】本発明の制御システムを含む従来の可変速駆動装置のレイアウトである。
【図２】本発明の制御方法の動作原理を示す概要図である。
【図３】本発明の識別方法の原理を示す概略図である。
【図４】回転子抵抗の値の二分法探索の原理を示す図である。
【図５】１つの特定の実施形態による、本発明の識別方法の動作原理を示す図である。
【発明を実施するための形態】
【００２５】
以下に記載される発明は、好ましくは三相電源による非同期（誘導）モータＭの制御に適用される。本発明は、開ループ、すなわち電気モータの速度測定のフィードバックがない、または閉ループ、すなわち電気モータの速度測定のフィードバックがある従来のベクトルあるいはスカラー制御スキームにおいて実施される。
【００２６】
本発明の識別方法は、処理ユニットＵＣを含む制御システムにおいて実施される。処理ユニットＵＣは、少なくともマイクロプロセッサおよびメモリを含む。本制御システムは、電気モータの制御が意図された可変速駆動装置に関連付けられている。本制御システムは、特に前記可変速駆動装置に統合化されてもよい。
【００２７】
公知のように、可変速駆動装置は、一般に、
−  ＡＣ電圧を供給する電気回路網に接続された入力相Ｒ、Ｓ、Ｔと、
−  電気回路網によって供給されたＡＣ電圧をＤＣ電圧に変換することが意図された、例えば、ダイオードブリッジなどのＡＣ／ＤＣ整流器１０と、
−  整流器の出力に接続され、２つの電源線を含み、この電源線間にＤＣ電圧が印加されているＤＣ電源バスと、
−  バスの２つの電源線間に接続され、ＤＣ電圧を一定値に保持することが意図された、少なくとも１つのバス・コンデンサＣｂｕｓと、
−  ＤＣ電源バスに接続され、必要とされる電圧を、電気モータに接続された出力相に印加するように、処理ユニットによって制御される、例えば、ＩＧＢＴタイプの複数のパワートランジスタを備えるＤＣ／ＡＣインバータ１１と、
−  制御される電気モータＭに接続されることが意図された出力相１、２、３と、
を含む。インバータ１１は、例えば、ＰＷＭ（パルス幅変調）またはＤＴＣ（直接トルク制御）タイプの従来の技法を使用して制御される。処理ユニットＵＣによって実行される制御則は、出力相に印加される電圧を決定することを可能にする。
【００２８】
限定することなく、本発明は、開ループおけるＵ／Ｆスカラー制御則に対して記載される。以下に記載される方法は、使用される制御則にかかわらず同一であることを理解されたい。
【００２９】
公知のように、図２を参照すると、開ループで非同期電気モータを制御するために処理ユニットによって実行される従来のＵ／Ｆスカラー制御則は、以下の主な特徴を含む。すなわち、
【数１】
2018191506.tif 000003
【００３０】
もちろん、他のモジュールが処理ユニットによって実施されてもよいが、これらは本出願では詳述されない。
【００３１】
本制御則は、動作フェーズ中に、すなわち可変速駆動装置によって制御される電気モータＭの通常の動作中に実施される。
【００３２】
本発明は、より詳細には電気モータの回転子の抵抗を識別するための方法に関する。本識別は、モータの通常の動作に先立って、または可変速駆動装置を構成するフェーズ中の任意の他の時間に実施されてもよい。
【００３３】
本識別方法は、識別システムによって実施され、好ましくは可変速駆動装置の処理ユニットＵＣによって実行される。本識別システムは、特に制御システムのモジュールＭ１〜Ｍ４、および回転子の抵抗を識別するのを支援する追加のモジュールＭ５を利用する。電流および電圧測定手段は、有利には本発明の識別システムに統合化され、実施される測定ステップは、有利には、本発明の識別方法の一部を形成する。
【００３４】
本識別方法は、実施されるために、以下の論証を利用し、ここで添え字「Ｒ」は、回転子にリンクしたパラメータを識別することを可能にし、添え字「Ｓ」は、固定子にリンクしたパラメータを識別することを可能にし、指数「ｒｅｆ」は、基準パラメータを識別することを可能にする。
【００３５】
基準固定子電圧
【数２】
2018191506.tif 000004
は、式
【数３】
2018191506.tif 000005
を使用して計算され、ここで、構成によって、基準固定子電圧は、２つのｄ軸およびｑ軸成分に基づいて複素形式で以下のように書かれる。すなわち、
【数４】
2018191506.tif 000006
【００３６】
回転子との動的な関係は、以下の式によって与えられる。すなわち、
【数５】
2018191506.tif 000007
【００３７】
我々は、固定子電流、すなわち、
【数６】
2018191506.tif 000008
を相殺する電圧を生成しようとしている。
【００３８】
電圧と同一のやり方で、固定子電流は、複素形式で
【数７】
2018191506.tif 000009
として書かれる。
【００３９】
モータの磁気結合は、以下の関係を与える。すなわち、
【数８】
2018191506.tif 000010
ここで
【数９】
2018191506.tif 000011
【００４０】
例えば、飽和関数は、以下の関数ｆによって表わされてもよい。すなわち、
【数１０】
2018191506.tif 000012
ここで、
【数１１】
2018191506.tif 000013
【００４１】
【数１２】
2018191506.tif 000014
をその表式で置き換えることによって、次のようになる。すなわち、
【数１３】
2018191506.tif 000015
【００４２】
磁気飽和関数ｆの導関数を計算することによって、
【数１４】
2018191506.tif 000016
を得る。
【００４３】
アルゴリズムは、以下に記載されるステップに従う。
【数１５】
2018191506.tif 000017
の開方則は、式（２）および（３）から以下の通りである。すなわち、
【数１６】
2018191506.tif 000018
【００４４】
次いで、固定子磁束でもある磁化磁束、
【数１７】
2018191506.tif 000019
を計算することができる。
【００４５】
最終的に、電圧は、固定子磁束およびその導関数から計算される。すなわち、
【数１８】
2018191506.tif 000020
【００４６】
また、固定子電圧は、値
【数１９】
2018191506.tif 000021
を有する。
【００４７】
上記の関係から、回転子の抵抗と基準固定子電圧
【数２０】
2018191506.tif 000022
との間に関係があることが導出される。このことから、回転子の抵抗を変えることは、この電圧の値に影響を与えることが分かる。
【００４８】
この関係から、
【数２１】
2018191506.tif 000023
【００４９】
これから
【数２２】
2018191506.tif 000024
を導出する。
【００５０】
角度θｓだけ回転させることによって、固定基準座標系で２つの電圧
【数２３】
2018191506.tif 000025
を得る。計算を簡単にするために、０に等しい第３の成分
【数２４】
2018191506.tif 000026
を導入する。この成分は、バランスのとれた標準モデルに対するモータの差異を表わす。Ｃｌａｒｋｅ変換を適用して電圧ｕ１、ｕ２、ｕ３
【数２５】
2018191506.tif 000027
を計算することが残されているだけである。
【００５１】
対称的なやり方で、測定される電流ｉ１、ｉ２、ｉ３は、逆クラーク変換によって変換されてもよい。すなわち、
【数２６】
2018191506.tif 000028
【００５２】
次に、逆回転および２つの電圧成分ｉα、ｉβから、２つの電流値ｉＳｄおよびｉＳｑを得る。電流ｉＳは、これらの値の関数として計算される。
【００５３】
本発明の一般的な原理は、回転子の抵抗Ｒｒの求められる値に向かって収束することを可能にする有効なアルゴリズムを導入することにある。
【００５４】
図３Ａおよび図３Ｂを参照すると、２つの選択肢が可能である。
【００５５】
図３Ａによって示される第１の選択肢は、以下のサイクルに従うことにある。すなわち、
【数２７】
2018191506.tif 000029
【００５６】
３つのブロックＢ１、Ｂ２、Ｂ３は、特に、上述された制御システムのモジュールＭ１〜Ｍ５に統合化されている。
【００５７】
ブロックＢ１は、例えば、制御電圧を計算するためのモジュールＭ２において実行される。
【００５８】
ブロックＢ２は、例えば、電圧を計算するためのモジュールＭ２において実行される。
【００５９】
ブロックＢ３は、例えば、測定中に取得された固定子電流を処理して、この固定子電流から、選択された探索解（以下参照）に応じて、回転子の抵抗に割り当てられる新しい理論値
【数２８】
2018191506.tif 000030
を導出するためのモジュールＭ５において実行される。
【００６０】
図３Ｂによって示される第２の選択肢は、以下のサイクルに従うことにある。すなわち、
【数２９】
2018191506.tif 000031
【００６１】
電圧
【数３０】
2018191506.tif 000032
の最初の取得は、２つの別々の原理によって達成されることができる。すなわち、
−  モータをフリーホイーリングモードにすることによって、すなわちモータに印加される電圧が制御されない。
−  固定子の電流をゼロの値に調整することによって、モータに印加される電圧が、電流に作用する制御ループによって計算される。
【００６２】
理論では、回転子の抵抗Ｒｒの正確な値に対応した、得られる所定の固定子電流ｉＳの値
【数３１】
2018191506.tif 000033
は、ゼロに近く、好ましくはゼロに等しい。言いかえれば、回転子の抵抗がその正確な値にある場合、本発明の解決策を実施する際に得られる固定子電流ｉＳは、ゼロに近いこの値、典型的には、５０で割られた名目上の電流であり、好ましくはゼロである。
【００６３】
回転子の抵抗Ｒｒの正確な値の探索を最適化するために、回転子抵抗Ｒｒの正確な値に向かって収束するように複数のアルゴリズムが導入されてもよい。限定することなく、
−  第１の解決策は、二分法原理を使用することにあり、
−  第２の解決策は、勾配法と呼ばれるものを導入することにある。
【００６４】
第１の解決策では、二分法原理を使用し、使用されるパラメータは、回転子抵抗の値が求められる各間隔の極値限界に対応するＲＭＡＸ、ＲＭＩＮ、および反復回数Ｎである。原理として、それぞれの新しい反復（すなわち、新しい値
【数３２】
2018191506.tif 000034
を回転子抵抗に割り当てることから始まるそれぞれの新しいサイクル）において、回転子抵抗に割り当てられる可能な値の間隔の幅が、２で割られる。反復回数に達すると、回転子抵抗の値は、探索された最後の間隔に位置する。この間隔が狭いほど、値は、正確になる。本原理が、図４に、より正確に示されている。
【００６５】
これらの２つの探索解決策は、上述された２つの選択肢に適用されてもよく、探索を停止するための制約だけが異なる（第１の選択肢に対する式
【数３３】
2018191506.tif 000035
である）。
【００６６】
例として、限定することなく、図４を参照すると、図３Ａに関連して上記された第１の選択肢に対して、二分法探索アルゴリズムは、様々な以下のブロックを含む。すなわち、
−  探索間隔を規定するように、決定された値に値が初期化されたパラメータＲＭＡＸ、ＲＭＩＮが規定され、Ｒ０も、間隔ＲＭＡＸとＲＭＩＮの範囲内に含まれる値を有するように選択され、
−  ブロックＢ１００は、全体的な探索プロセスにおいて上記されたブロックＢ３に対応する処理ブロックである。固定子電流ｉＳの値と値
【数３４】
2018191506.tif 000036
との比較に基づいて、探索が継続されるかどうかが判定されるのはこのブロックにおいてであり、
−  ブロックＢ２００は、電流ｉＳの値がゼロよりも大きいかどうかテストするためのテストブロックに対応し、
−  電流ｉＳがゼロよりも大きい場合、ブロックＢ３００は、ＲＭＡＸの値をＲ０、すなわち、Ｒ０＝（ＲＭＡＸ＋ＲＭＩＮ）／２に置き換えることにあり、
−  電流ｉＳがゼロよりも小さい場合、ブロックＢ４００は、ＲＭＩＮの値をＲ０、すなわち、Ｒ０＝（ＲＭＡＸ＋ＲＭＩＮ）／２に置き換えることにあり、
−  ブロックＢ５００は、Ｒ０に割り当てられた新しい値による新しい反復前の、反復の終了ブロックに対応する。
【００６７】
したがって、図５は、二分法探索を使用して、本発明の識別方法の原理を示す。反復回数が横座標に示され、各反復後の更新された回転子抵抗Ｒｒに割り当てられた値が縦座標に示されている。５回の反復後に、回転子抵抗Ｒｒの正確な値に向かって収束しているのを見ることが可能である。
【００６８】
上で概説した第２の探索解決策は、それぞれの新しい反復で得られる固定子電流ＩＳの変化に基づいて回転子抵抗Ｒｒに割り当てる値を上下に変化させることにある。本方法は、容易に理解することができるため、本出願では詳述されない。
【００６９】
電気モータの回転子の抵抗を識別するための本発明の解決策は、以下を含むいくつかの利点を有することが上記から理解される。すなわち、
−  本方法は、電気モータに対する制御則に容易に統合化されるため、ある一定の単純さがあり、
−  本方法は、電気モータで可変速駆動装置を構成するフェーズ中に一度だけ実行されることができ、
−  本解決策は、電気モータに速度センサを使用する必要がなく、したがって、開ループで動作することができる。
【符号の説明】
【００７０】
１  出力相
２  出力相
３  出力相
１０  ＡＣ／ＤＣ整流器
１１  インバータ
Ｂ１  ブロック
Ｂ２  ブロック
Ｂ３  ブロック
Ｂ１０  ブロック
Ｂ２０  ブロック
Ｂ３０  ブロック
Ｂ１００  ブロック
Ｂ２００  ブロック
Ｂ３００  ブロック
Ｂ４００  ブロック
Ｂ５００  ブロック
Ｃｂｕｓ  バス・コンデンサ
ＩＳ  固定子電流
Ｍ  モータ
Ｍ０〜Ｍ５  モジュール
Ｒｒ  回転子抵抗
Ｒ  入力相
Ｓ  入力相
Ｔ  入力相
ＵＣ  処理ユニット
ｆ  磁気飽和関数
ｉ１  電流
ｉ２  電流
ｉ３  電流
ｉＳ  固定子電流
ｉＳｄ  電流
ｉＳｑ  電流
ｕ１  電圧
ｕ２  電圧
ｕ３  電圧
ｕＳ  固定子電圧
θｓ  配向角
【図１】
2018191506.tif 000062
【図２】
2018191506.tif 000063
【図３Ａ】
2018191506.tif 000064
【図３Ｂ】
2018191506.tif 000065
【図４】
2018191506.tif 000066
【図５】
2018191506.tif 000067
【外国語明細書】
2018191506000001.pdf